(57)【要約】【課題】動きや作用等に特色を持たせ、高い釣果を期待し得る釣用ルアーを提供する。【解決手段】小生物に似せた形態を有するルアーボディ１を備える。ルアーボディ１の先端部に前方に拡開するように付設された複数対の羽根片５，６を有し、各羽根片５，６が広狭変化可能に可動式に支持される。上段に一対の羽根片５を有すると共に、その下段に一対の羽根片６を有し、上下段の羽根片５，６が隣接配置される。【選択図】図１
0003130860.tif 000002
【実用新案登録請求の範囲】
【請求項１】
小生物に似せた形態を有するルアーボディを備えた釣用ルアーであって、
前記ルアーボディの先端部に前方に拡開するように付設された複数対の羽根片を有し、各羽根片が広狭変化可能に可動式に支持されることを特徴とする釣用ルアー。
【請求項２】
上段に一対の前記羽根片を有すると共に、その下段に一対の前記羽根片を有し、上下段の前記羽根片が隣接配置されることを特徴とする請求項１に記載の釣用ルアー。
【請求項３】
上下段の前記羽根片はその正面視にて部分的に重なり、且つ上段の前記羽根片が下段の前記羽根片よりも外側に配置されることを特徴とする請求項２に記載の釣用ルアー。
【請求項４】
前記ルアーボディの先端部に前記各羽根片を支持する支持部材を有し、この支持部材に設けた鍵状の支持部が、前記各羽根片の基部に設けた係合孔と遊嵌することを特徴とする請求項１〜３のいずれか１項に記載の釣用ルアー。
【考案の詳細な説明】
【技術分野】
【０００１】
本考案は釣用ルアーに係り、例えば蝉等の甲虫類の形態を模したルアーボディを有する釣用ルアーに関するものである。
【背景技術】
【０００２】
釣用ルアーのうち甲虫型のルアーボディを有するものが知られている。甲虫類の形態を模して作られていることから、釣り対象魚に対する集魚効果も高く、ルアーとして一定の釣果が得られる。その基本的構成例として例えば、甲虫類の形態を模したルアーボディを有し、腹部対応部位にはフック（釣針）が連結される。ルアーボディの先端に設けたラインアイにライン（釣糸）が接続され、ラインを引くことでルアーを遊泳させるようになっている。      
【考案の開示】
【考案が解決しようとする課題】
【０００３】
しかしながら従来の釣用ルアーは、単にルアーボディが甲虫類の形態を模しただけのものが多く、使用時における水中での動きは一様且つ単純なものとなり、必ずしも高い釣果を期待することができなかった。
【０００４】
本考案はかかる実情に鑑み、その動きや作用等に特色を持たせ、高い釣果を期待し得る釣用ルアーを提供することを目的とする。
【課題を解決するための手段】
【０００５】
本考案による釣用ルアーは、小生物に似せた形態を有するルアーボディを備えた釣用ルアーであって、前記ルアーボディの先端部に前方に拡開するように付設された複数対の羽根片を有し、各羽根片が広狭変化可能に可動式に支持されることを特徴とする。
【０００６】
また、本考案による釣用ルアーにおいて、上段に一対の前記羽根片を有すると共に、その下段に一対の前記羽根片を有し、上下段の前記羽根片が隣接配置されることを特徴とする。
【０００７】
また、本考案による釣用ルアーにおいて、上下段の前記羽根片はその正面視にて部分的に重なり、且つ上段の前記羽根片が下段の前記羽根片よりも外側に配置されることを特徴とする。
【０００８】
また、本考案による釣用ルアーにおいて、前記ルアーボディの先端部に前記各羽根片を支持する支持部材を有し、この支持部材に設けた鍵状の支持部が、前記各羽根片の基部に設けた係合孔と遊嵌することを特徴とする。
【考案の効果】
【０００９】
本考案によれば、ラインを引いてルアーを遊泳させると、水面付近の水を受けてその水しぶきを発生させる。この場合、複数の羽根片を持つことで、ラインの引加減等にも起因して、ルアーの動きも複雑なルアーアクションをとる。その際、羽根片が水を受けて水流や気泡あるいは振動等を効果的発生させ、高い釣果を期待することができる。
【００１０】
また、複数対の羽根片を有しているのでルアーの遊泳時、大小様々に波打つ複雑な水面であっても、有効且つ的確に水流を捕らえることができる。更に、遊泳時にはラインの引加減等により各羽根片は広狭変化する。その際羽根片同士が接触あるいは当接することにより所謂、スクラッチ音を発生させる。このスクラッチ音は、水しぶき音等と相俟って、釣り対象魚に対するアピール効果を高めることができる。
【考案を実施するための最良の形態】
【００１１】
以下、図面に基づき、本考案による釣用ルアーの好適な実施の形態を説明する。
図１は、本考案の実施形態による釣用ルアーの構成例を示している。この例では例えば蝉等の甲虫類の形態を模したルアーボディ１を有し、頭部１Ａ、胴部もしくは腹部１Ｂ及び羽根部１Ｃの対応部位を有する。なお、この実施形態では蝉等の形態を模したルアーボディの例をするが、蝉の他の甲虫類であってもよい。また、甲虫類に限らず、その形態として爬虫類や小動物等も含まれ、即ち釣対象魚に対して有効に集魚効果を持ち得る種々の形態を採用可能である。
【００１２】
ルアーボディ１は合成樹脂材料により成形され、胴部もしくは腹部１Ｂにはフック２が垂下される。ルアーボディ１の頭部１Ａの前端にはライン（釣糸）を接続するためのラインアイ３が付設され、この例では接続具４を介してラインを接続するようになっている。そのラインを引くことでルアーを遊泳させることができる。
【００１３】
さて、本考案のルアーでは、ルアーボディ１の先端部に前方に拡開するように付設された複数対の羽根片を有し、各羽根片が広狭変化可能に可動式に支持される。この実施形態では図１に示されるように上段に一対の羽根片５，５を有すると共に、その下段に一対の羽根片６，６を有し、左右側とも上下段の羽根片５，６が隣接配置される。
【００１４】
各羽根片５，６は図２等にも示されるように、その形成材料として金属薄板（ステンレス鋼等）を用い、実際の甲虫類等の羽に似せて、あるいは花びら状等の形態に形成することができる。各羽根片５，６は幅広・幅狭に広狭変化するように可動するが、上記のように形態とすることで釣り対象魚に対するアピールもしくは集魚効果を高めることが可能である。
【００１５】
また、ルアーボディ１の先端部に各羽根片５，６を支持するための支持部材７を有し、この支持部材７を介して各羽根片５，６が可動式に支持される。支持部材７は金属薄板（ステンレス鋼等）等を用い、概略コ字状あるいは門型（図３、平面視参照）に折曲成形される。支持部材７はビス等を用いてルアーボディ１に固定することができるが、図２等に示されるように支持部材７の左右両側及びその中央部にはビス８を挿通させるためのビス孔７ａが形成される。各ビス孔７ａにビス８を挿通して、頭部１Ａの両側部及び前端部にて支持部材７を締着固定するようになっている。
【００１６】
支持部材７のコ字の角部には図２及び図３等に示されるように、概略鍵状もしくはクランク状等に折曲成形された支持部７ｂを有する。一方、各羽根片５，６の基部には上下方向に、長穴あるいはスリット状に形成された係合孔５ａ，６ａが設けられている。これらの係合孔５ａ，６ａのサイズは支持部材７の支持部７ｂよりも適度に大きく、即ち両者間に適度な間隙が生じるように形成され、これにより支持部７ｂが係合孔５ａ，６ａと遊嵌する。
【００１７】
また、この実施形態では図３あるいは図４等に示すように、上下段の羽根片５，６はその正面視（図４）にて部分的に重なり、且つ上段の羽根片５が下段の羽根片６よりも外側に配置される。これらの図からも明らかなように上下２対の羽根片５，６はルアーボディ１の先端部にて、左右方向及び上下方向に大きく張り出して前方に凹状に拡開する。
【００１８】
上記構成において、図５のようにライン１０を引いてルアーを遊泳させると、上下の羽根片５，６は図４のようにルアーボディ１の先端部で大きく拡開し、水面付近の水を受けてその水しぶきを発生させる。この場合、２対の羽根片５，６を持つことで、ライン１０の引加減あるいは波の立ち具合等にも起因して、羽根片５，６は左右間で必ずしも左右対称の動きとならず、これによりルアーの動きも複雑なルアーアクションをとる。その際、２対の羽根片５，６が水を受けて、水流や気泡あるいは振動等を効果的発生させ、その結果、高い釣果を期待することができる。
【００１９】
また、ルアーの遊泳時、図５に示したように上方の水流Ｗは主に上段の羽根片５で、下方の水流ｗは主に下段の羽根片６によりそれぞれ捕らえられる。このように上下２段構成の羽根片５，６を有しているので、大小様々に波打つ複雑な水面であっても、有効且つ的確に水流を捕らえることができる。
【００２０】
更に、遊泳時にはライン１０の引加減等により図３の２点鎖線により示されるように、各羽根片５，６は広狭変化する。その際上下の羽根片５，６同士が接触あるいは当接することにより所謂、スクラッチ音を発生させる。このスクラッチ音は、上述した水しぶき音等と相俟って、釣り対象魚に対するアピール効果を高めることができる。
【００２１】
なお、本考案は、上述した実施形態にのみ限定されるものではなく、必要に応じて適宜変更、設定可能であり、上記実施形態と同様な作用効果を得ることができる。
例えば、本実施形態では上段の羽根片５が下段の羽根片６よりも外側に配置される例を説明したがその逆、即ち上段の羽根片５を下段の羽根片６よりも内側に配置することも可能である。また、２対の羽根片５，６を有する場合の他、３対の羽根片を備えることも可能であり、これらいずれの場合も上述の実施形態と同様な作用効果を得ることができる。
更に、ルアーボディ１は蝉等の甲虫類の形態に限らずに、その他の形態を採用することも可能である。
【図面の簡単な説明】
【００２２】
【図１】本考案の実施形態における釣用ルアーを示す斜視図である。
【図２】本考案の釣用ルアーに係る羽根片及びその支持部材の構成例を示す分解斜視図である。
【図３】本考案の実施形態における釣用ルアーの上面図である。
【図４】本考案の実施形態における釣用ルアーの正面図である。
【図５】本考案の実施形態における釣用ルアーの作用を示す側面図である。
【符号の説明】
【００２３】
１  ルアーボディ
２  フック
３  ラインアイ
４  接続具
５，６  羽根片
７  支持部材
８  ビス
【図１】
0003130860.tif 000003
【図２】
0003130860.tif 000004
【図３】
0003130860.tif 000005
【図４】
0003130860.tif 000006
【図５】
0003130860.tif 000007